(57)【特許請求の範囲】
【請求項１】
建物躯体の開口部の周囲を覆う枠部材の取付構造であって、
開口部の壁面に固定される壁面受け材と、
この壁面受け材にはめ込まれる壁面枠材と、
開口部に固定された壁面受け材に対して壁面枠材が進退可能な取付位置調整手段とを備え、
取付位置調整手段は、枠部材の長手方向に複数個、形成されるものであって、その先端側の表面に螺旋状のねじ部を有して壁面受け材にねじ込まれるとともに基端側の操作部により回転可能なねじ本体と、全体形状が円筒状であって、ねじ本体の基端側に回動可能にはめ込まれて壁面枠材と噛み合うことにより該噛み合い後においてはねじ本体の回転に伴い壁面枠材を壁面受け材に対して接近または離間させる方向に移動させることを可能とする噛み合いリングとを備えており、
枠部材は、壁面受け材及び壁面枠材のいずれか一方から他方に向かって延びる突出片と、壁面受け材及び壁面枠材のいずれか他方に形成されるとともに前記突出片がスライド可能に差し込まれるスライド溝とを備えていることを特徴とする枠部材取付構造。
【請求項２】
枠部材は、壁面受け材及び壁面枠材からなるとともに開口部の立設する壁面側を覆う縦部材と、開口部の上面側を覆う横部材とを備え、
横部材は、縦部材の上部を入れる溝部と、その溝部の前面側を覆う薄板状の薄板部とを備えたことを特徴とする請求項１記載の枠部材取付構造。
【請求項３】
縦部材は、建物躯体の内部を分割するために開口部の左右に立設する壁面に固定され、
横部材は、縦部材と連続して形成されるとともに開口部の上部に固定され、
枠部材は、前記縦部材及び横部材からなる枠の内部を覆う平板状の面部材を備えたことを特徴とする請求項１または請求項２記載の枠部材取付構造。
【請求項４】
枠部材は、室内内部を三つに分割するために隣接して二個、平行に配置し、
少なくとも一方の枠部材の面部材には、開閉可能な扉を形成し、
二個の前記枠部材の間には、その内部に物を収納可能な収納部を形成したことを特徴とする請求項３記載の枠部材取付構造。
【請求項５】
建物躯体の開口部の周囲を覆う枠部材の組立方法であって、
開口部の立設する壁面に固定される壁面受け材と、この壁面受け材にはめ込まれる壁面枠材と、枠部材の長手方向に複数個形成されるとともに、開口部に固定された壁面受け材に対して壁面枠材が進退可能な取付位置調整手段と、開口部の上面側を覆う横部材とを備え、
取付位置調整手段は、枠部材の長手方向に複数個、形成されるものであって、その先端側の表面に螺旋状のねじ部を有して壁面受け材にねじ込まれるとともに基端側の操作部により回転可能なねじ本体と、全体形状が円筒状であって、ねじ本体の基端側に回動可能にはめ込まれて壁面枠材と噛み合うことにより該噛み合い後においてはねじ本体の回転に伴い壁面枠材を壁面受け材に対して接近または離間させる方向に移動させることを可能とする噛み合いリングとを備え、
枠部材は、壁面受け材及び壁面枠材のいずれか一方から他方に向かって延びる突出片と、壁面受け材及び壁面枠材のいずれか他方に形成されるとともに前記突出片がスライド可能に差し込まれるスライド溝とを備え、
前記横部材は、その端部に位置して壁面受け材及び壁面枠材の上部を入れる溝部と、その溝部の前面側を覆う薄板部とを備えてなり、
壁面受け材を開口部の立設する壁面側に固定する第一の工程と、
横部材の溝部内に壁面受け材の上部が差し込まれるように開口部の上面側に沿って横部材を配置する第二の工程と、
横部材の溝部内に壁面枠材の上部を差し込むとともに、壁面受け材に壁面枠材をはめ込む第三の工程と、
取付位置調整手段により、壁面枠材を壁面受け材に対して進退させて適当な位置に調整する第四の工程と、
横部材を締結部材により開口部の上面に固定する第五の工程とを備えたことを特徴とする枠部材の組立方法。
【発明の詳細な説明】
【０００１】
【発明の属する技術分野】
この発明は、建物躯体の開口部の周囲を覆う枠部材の取付構造及び枠部材の組立方法に関する。
【０００２】
【先行技術】
従来の枠部材の取付構造は、開口部の左右側面を覆う縦部材と、開口部の上下面を覆う横部材とを備えていた。そして、これら縦部材及び横部材は、通常、木質等からなる長尺状の板状のものから形成されていた。そして、この枠部材の内部枠を覆うとともに、開閉可能な開き戸等を形成することにより、建物躯体の開口部を開閉可能なドア等を形成していた。
【０００３】
【発明が解決しようとする課題】
しかし、上記した従来の枠部材取付構造は、建物躯体の開口部が寸法誤差等により、また、使用材料の伸縮により、その寸法が変化し、予め予定した枠部材との間に隙間等が発生すると、かかる隙間を埋めるための隙間部材等を別途、形成しなければならず、現場施工に手間がかかるという第一の問題点があった。
【０００４】
また、かかる隙間部材等を使用すると、外観が良くないという第二の問題点があった。
さらに、開口部を形成する垂直方向、水平方向の長尺部材の寸法が変化すると、開口部の周囲枠が、垂直、または水平に形成されずに傾斜し、その傾斜角度を調整するために枠部材や隙間部材を斜めに削る等の作業が必要となり、大変、手間がかかるという第三の問題点があった。
【０００５】
そこで、請求項１記載の発明は、上記した従来の技術の有する第一および第二の問題点に鑑みてなされたものであり、その目的とするところは、枠部材の取付位置を調整することができて、建物躯体の開口部の寸法誤差や、使用材料の伸縮にも対応することができる枠部材取付構造を提供しようとするものである。
これに加え、この請求項１記載の発明は、上記した従来の技術の有する第三の問題点に鑑みてなされたものであり、その目的とするところは、開口枠の垂直角度や、水平角度が僅かにずれるような場合に、開口枠の取付角度を調整することができて、開口部の取付位置における取付角度の変動にも対応することができる枠部材取付構造を提供しようとするものである。
【０００６】
これに加え、この請求項１記載の発明は、簡単な構造で、壁面受け材と壁面枠材との取付位置の調整を容易にすることができる枠部材取付構造を提供しようとするものである。
これに加え、この請求項１記載の発明は、壁面枠材が壁面受け材に対してスムーズに移動することができる枠部材取付構造を提供しようとするものである。
【０００７】
これに加え、請求項２記載の発明は、縦部材の上端と建物躯体との間の隙間を前面側から隠すことができて、外観が良好な枠部材取付構造を提供しようとするものである。
これに加え、請求項３記載の発明は、室内内部を分割することができて、間仕切りとして使用することができる枠部材取付構造を提供しようとするものである。
【０００８】
これに加え、請求項４記載の発明は、間仕切りとして使用することができる上に、内部に物を収納することができる枠部材取付構造を提供しようとするものである。
請求項５記載の発明は、現場施工において、枠部材の取付位置を調整することができて、建物躯体の開口部の寸法誤差や、使用材料の伸縮にも対応することができ、開口枠の取付角度を調整することができて、取付位置の開口部の傾斜にも対応することができ、外観が良好な枠部材の組立方法を提供しようとするものである。
【０００９】
【課題を解決するための手段】
本発明は、上記した目的を達成するためのものである。
請求項１記載の発明は、建物躯体(15)の開口部(11)の周囲を覆う枠部材(10)の取付構造であって、開口部(11)の壁面に固定される壁面受け材(20)と、この壁面受け材(20)にはめ込まれる壁面枠材(30)と、開口部(11)に固定された壁面受け材(20)に対して壁面枠材(30)が進退可能な取付位置調整手段(40)とを備え、取付位置調整手段(40)は、枠部材(10)の長手方向に複数個、形成されるものであって、その先端側の表面に螺旋状のねじ部(42)を有して壁面受け材(20)にねじ込まれるとともに基端側の操作部(44)により回転可能なねじ本体(41)と、全体形状が円筒状であって、ねじ本体(41)の基端側に回動可能にはめ込まれて壁面枠材(30)と噛み合うことにより該噛み合い後においてはねじ本体(41)の回転に伴い壁面枠材(30)を壁面受け材(20)に対して接近または離間させる方向に移動させることを可能とする噛み合いリング(43)とを備えており、枠部材(10)は、壁面受け材(20)及び壁面枠材(30)のいずれか一方から他方に向かって延びる突出片(50)と、壁面受け材(20)及び壁面枠材(30)のいずれか他方に形成されるとともに前記突出片(50)がスライド可能に差し込まれるスライド溝(51)とを備えていることを特徴とする。
【００１０】
なお、ここで、「取付位置調整手段(40)」は、壁面受け材(20)に対して、壁面枠材(30)を進退させることができるようなものであれば良いものである。例えば、複数のねじが組合わさって二部材間の距離を調整することができる特殊ねじや、壁面枠材(30)が壁面受け材(20)に対してスライドするような機構を有して適当な位置で締結部材により固定することができるようなものも含むものである。
【００１１】
また、ここで、「開口部(11)」とは、建物躯体の室内内壁に人が出入りすることができるような室内の部屋間の壁に表裏に開口するものや、建物躯体の外壁に開口する玄関や勝手口を含むものである。さらに、「開口部(11)」は、室内の内部を複数に分割するために一つの大部屋の間に形成された天井から下方に向かって突出する下がり壁と、室内左右の壁と、床面とから形成されるようなものも含むものである。
【００１２】
本発明によれば、取付位置調整手段(40)により、開口部(11)に固定された壁面受け材(20)に対して壁面枠材(30)を進退させることができる。このため、枠部材(10)における壁面枠材(30)と、壁面受け材(20)との間の距離を調整することができる。これにより、建物躯体(15)の開口部(11)が寸法誤差や、使用材料の伸縮により、寸法形状が異なっても、壁面枠材(30)の取付位置を調整することができて、枠部材(10)の内側の寸法を、枠部材(10)の取付位置の開口部(11)の寸法形状に影響されることなく、設定することができる。すなわち、建物躯体(15)の開口部(11)の寸法誤差等にも対応することができる枠部材(10)を提供することができるのである。
【００１３】
また、本発明によれば、取付位置調整手段(40)が枠部材(10)の長手方向に複数個、形成されているため、建物躯体(15)の開口部(11)の取付位置の垂直角度や水平角度が、僅かにずれるような場合においても、枠部材(10)の長手方向に複数個、形成されている各取付位置調整手段(40)の調整量を変化させることにより、壁面受け材(20)からの壁面枠材(30)の進退量を各取付位置調整手段(40)毎に調整することができる。
すなわち、取付位置調整手段(40)間の距離に比例させて、取付位置調整手段(40)の壁面枠材(30)の壁面受け材(20)からの進退量を変化させることにより、壁面枠材(30)の取付角度を調整することができる。これにより、壁面枠材(30)を壁面受け材(20)に対して斜めに傾斜させた状態で固定することができ、傾斜した開口部(11)に固定して、傾斜した壁面受け材(20)に対しても、水平若しくは垂直に壁面枠材(30)を固定することができる。すなわち、開口部(11)が水平若しくは垂直に形成されていなくても、枠部材(10)を、垂直方向や、水平方向に沿って取り付けることができる。
【００１４】
【００１５】
また、本発明によれば、建物躯体(15)の開口部(11)の壁面に固定された壁面受け材(20)と、この壁面受け材(20)にはめ込まれた壁面枠材(30)とからなる枠部材(10)に対して、ねじ本体(41)の基端側の操作部(44)を回転させると、ねじ本体(41)の先端側の表面のねじ部(42)により、ねじ本体(41)の先端が壁面受け材(20)及び建物躯体(15)に向かってねじ込まれる。そして、さらに、ねじ本体(41)をねじ込ませると、その基端側に回動可能にはめ込まれた噛み合いリング(43)も壁面枠材(30)の内部に向かって押し込まれ壁面枠材(30)と噛み合う。
すなわち、ねじ本体(41)の先端のねじ部(42)は、壁面受け材(20)と建物躯体(15)の内部にねじ込まれ、噛み合いリング(43)は、壁面枠材(30)と噛み合った状態となる。そのような状態において、ねじ本体(41)を引き抜く方向に操作部(44)を逆回転させると、ねじ本体(41)は、その先端の螺旋状のねじ部(42)により形成された螺旋状の溝に沿って、壁面受け材(20)及び建物躯体(15)から引き抜かれる方向に後進する。その際、壁面受け材(20)は、建物躯体(15)の開口部(11)の壁面に固定されているため、壁面受け材(20)が建物躯体(15)から外れることはなく、密着した状態のままである。そして、ねじ本体(41)が後進すると、ねじ本体(41)の基端側の噛み合いリング(43)は、壁面枠材(30)と回動可能に噛み合っているため、壁面枠材(30)は、ねじ本体(41)の移動に伴って壁面受け材(20)から離れる方向に移動する。これにより、壁面枠材(30)を壁面受け材(20)から離す方向に移動させることができるのである。
【００１６】
一方、再度、ねじ本体(41)を建物躯体(15)にねじ込ませる方向、すなわち、前進する方向に回転させると、ねじ本体(41)の先端のねじ部(42)が螺旋状に形成されているため、ねじ本体(41)は、建物躯体(15)及び壁面受け材(20)に向かって入り込んでいく。そして、ねじ本体(41)の移動に伴い、ねじ本体(41)の基端側の噛み合いリング(43)と噛み合う壁面枠材(30)も、壁面受け材(20)及び建物躯体(15)側に向かって移動する。これにより壁面枠材(30)を壁面受け材(20)に向かって接近させる方向に移動させることができる。
【００１７】
すなわち、ねじ本体(41)を回転させることにより、壁面枠材(30)を壁面受け材(20)から離したり、接近させたりすることができ、壁面枠材(30)の取付位置の調整を容易にすることができる。
【００１８】
また、本発明によれば、枠部材(10)が、壁面枠材(30)と壁面受け材(20)との間に突出片(50)及びスライド溝(51)を備えている。このため、取付位置調整手段(40)により壁面受け材(20)に対して壁面枠材(30)を進退させると、突出片(50)がスライド溝(51)に沿って進退する。
すなわち、この突出片(50)とスライド溝(51)とが進退する壁面枠材(30)を案内することができて、壁面枠材(30)を壁面受け材(20)に対してスムーズに進退させることができる。
【００１９】
さらに、取付位置調整手段(40)として、ねじ部(42)を有するようなものを使用して、壁面枠材(30)に対して回転方向の力が加わっても、壁面枠材(30)が回転することを抑え、安定して進退させることができる。
請求項２記載の発明は、上記した請求項１記載の特徴点に加え、枠部材(10)は、壁面受け材(20)及び壁面枠材(30)からなるとともに開口部(11)の立設する壁面側を覆う縦部材(60)と、開口部(11)の上面側を覆う横部材(61)とを備え、横部材(61)は、縦部材(60)の上部を入れる溝部(62)と、その溝部(62)の前面側を覆う薄板状の薄板部(63)とを備えたことを特徴とする。
【００２０】
なお、ここで、「薄板部(63)」は、薄板状であれば良いものであって、その材質は特に限定されず、例えば、塩化ビニル鋼板等の薄板金属や、薄板状の木質を含むものである。
このような本発明によれば、横部材(61)に縦部材(60)の上部を入れる溝部(62)が形成されているため、縦部材(60)の上部を溝部(62)の内部に入れると、縦部材(60)の上部を収納することができるとともに縦部材(60)の上部を固定することができる。そして、溝部(62)の前面側には、薄板部(63)が形成されているため、溝部(62)と縦部材(60)との間の継ぎ目を前面側から隠すことができ、前面側からの枠部材(10)の外観を良好なものにすることができる。
【００２１】
また、枠部材(10)の前面側を隠して外観を良好に維持した状態で、縦部材(60)の上部と開口部(11)との間に隙間を形成することができるため、縦部材(60)の長手方向の寸法の許容寸法の範囲を大きくとることができて、現場施工を容易にすることができる。
請求項３記載の発明は、上記した請求項１または請求項２記載の特徴点に加え、縦部材(60)は、建物躯体(15)の内部を分割するために開口部(11)の左右に立設する壁面に固定され、横部材(61)は、縦部材(60)と連続して形成されるとともに開口部(11)の上部に固定され、枠部材(10)は、前記縦部材(60)及び横部材(61)からなる枠の内部を覆う平板状の面部材(70)を備えたことを特徴とする。
【００２２】
このような本発明によれば、枠部材(10)の縦部材(60)が室内左右壁面に固定され、横部材(61)が天井面(12)に固定され、面部材(70)が縦部材(60)及び横部材(61)からなる枠の内部を覆っている。これにより、枠部材(10)が建物躯体(15)の室内内部を仕切って、二つに分割することができる。すなわち、枠部材(10)は、室内内部の間仕切りとして使用することができる。
【００２３】
請求項４記載の発明は、上記した請求項３記載の特徴点に加え、枠部材(10)は、室内内部を三つに分割するために隣接して二個、平行に配置し、少なくとも一方の枠部材(10)の面部材(70)には、開閉可能な扉(71)を形成し、二個の前記枠部材(10)の間には、その内部に物を収納可能な収納部(72)を形成したことを特徴とする。
【００２４】
このような本発明によれば、枠部材(10)を室内内部に二個、平行に配置することにより、室内内部を三つに分割することができる。そして、この二つの枠部材(10)の間には、収納部(72)が形成されているため、その内部に物を収納することができて、間仕切りとして使用することができる上に、物を収納可能な収納部(72)としても使用することができ、室内の収納スペースを確保することができる。さらに、少なくとも一方の枠部材(10)の面部材(70)には、開閉可能な扉(71)が形成されているため、この扉(71)を開閉して、収納部(72)の内部に物を収納したり、取り出したりすることも容易に行うことができる。
【００２５】
請求項５記載の発明は、建物躯体(15)の開口部(11)の周囲を覆う枠部材(10)の組立方法であって、開口部(11)の立設する壁面に固定される壁面受け材(20)と、この壁面受け材(20)にはめ込まれる壁面枠材(30)と、枠部材(10)の長手方向に複数個形成されるとともに、開口部(11)に固定された壁面受け材(20)に対して壁面枠材(30)が進退可能な取付位置調整手段(40)と、開口部(11)の上面側を覆う横部材(61)とを備え、取付位置調整手段(40)は、枠部材の長手方向に複数個、形成されるものであって、その先端側の表面に螺旋状のねじ部(42)を有して壁面受け材(20)にねじ込まれるとともに基端側の操作部(44)により回転可能なねじ本体(41)と、全体形状が円筒状であって、ねじ本体(41)の基端側に回動可能にはめ込まれて壁面枠材(30)と噛み合うことにより該噛み合い後においてはねじ本体(41)の回転に伴い壁面枠材(30)を壁面受け材(20)に対して接近または離間させる方向に移動させることを可能とする噛み合いリング(43)とを備え、枠部材(10)は、壁面受け材及(20)び壁面枠材(30)のいずれか一方から他方に向かって延びる突出片(50)と、壁面受け材(20)及び壁面枠材(30)のいずれか他方に形成されるとともに前記突出片(50)がスライド可能に差し込まれるスライド溝(51)とを備え、前記横部材(61)は、その端部に位置して壁面受け材(20)及び壁面枠材(30)の上部を入れる溝部(62)と、その溝部(62)の前面側を覆う薄板部(63)とを備えてなり、壁面受け材(20)を開口部(11)の立設する壁面側に固定する第一の工程と、横部材(61)の溝部(62)内に壁面受け材(20)の上部が差し込まれるように開口部(11)の上面側に沿って横部材(61)を配置する第二の工程と、横部材(61)の溝部(62)内に壁面枠材(30)の上部を差し込むとともに、壁面受け材(20)に壁面枠材(30)をはめ込む第三の工程と、取付位置調整手段(40)により、壁面枠材(30)を壁面受け材(20)に対して進退させて適当な位置に調整する第四の工程と、横部材(61)を締結部材により開口部(11)の上面に固定する第五の工程とを備えたことを特徴とする。
【００２６】
以下に本発明の作用及び効果を組立手順に沿って説明する。
まず、壁面枠材(30)を開口部(11)の立設する壁面側に固定する。次に、横部材(61)の溝部(62)内に壁面受け材(20)の上部が差し込まれるように開口部(11)の上面側に沿って横部材(61)を配置する。次に、横部材(61)の溝部(62)内に壁面枠材(30)の上部を差し込むとともに、壁面受け材(20)に壁面枠材(30)をはめ込む。これにより、かかる壁面枠材(30)及び壁面受け材(20)の上部を収納して固定することができる。その際、溝部(62)の前面側には、薄板部(63)が形成されているため、壁面受け材(20)及び壁面枠材(30)の上部と、横部材(61)との間の継ぎ目を薄板部(63)により隠すことができる。これにより、枠部材(10)の外観を良好なものにすることができる。
【００２７】
次に、取付位置調整手段(40)により、壁面枠材(30)を壁面受け材(20)に対して進退させて適当な位置に調整する。この取付位置調整手段(40)により、開口部(11)に固定された壁面受け材(20)に対して壁面枠材(30)を進退させて、枠部材(10)における壁面枠材(30)と、壁面受け材(20)との間の距離を調整することができる。これにより、建物躯体(15)の開口部(11)が寸法誤差や、使用材料の伸縮により、寸法形状が異なっても、取り付けることができ、枠部材(10)の内側の寸法を、開口部(11)の寸法に影響されることなく、設定することができる。
さらに、この取付位置調整手段(40)は、枠部材(10)の長手方向に複数個、形成されているため、建物躯体(15)の開口部(11)の取付位置の垂直角度や水平角度が、僅かにずれるような場合においても、枠部材(10)の長手方向に複数個、形成されている各取付位置調整手段(40)の調整量を変化させることにより、壁面受け材(20)からの壁面枠材(30)の進退量を各取付位置調整手段(40)毎に調整することができる。すなわち、取付位置調整手段(40)間の距離に比例させて、取付位置調整手段(40)の壁面枠材(30)の壁面受け材(20)からの進退量を変化させることにより、壁面枠材(30)の取付角度を調整することができる。これにより、壁面枠材(30)を壁面受け材(20)に対して斜めに傾斜させた状態で固定することができ、枠部材(10)の長手方向の垂直角度や、水平角度を調整することができる。
【００２８】
次に、横部材(61)を締結部材により開口部(11)の上面に固定する。これにより、枠部材(10)が完成し、枠部材(10)の組立が終了する。
【００２９】
【発明の実施の形態】
以下、本発明の第一の実施の形態を図面に基づいて、更に詳しく説明する。
図１乃至図８は、本発明の第一の実施の形態を示すものであり、図１は枠部材取付構造の拡大斜視図、図２は枠部材取付構造の拡大水平断面図、図３は枠部材取付構造の外観正面図、図４は枠部材取付構造の平面図、図５は図２のＡＡ線における枠部材取付構造の縦断面図、図６は図２のＢＢ線における枠部材取付構造の縦断面図、図７は枠部材取付構造の拡大正面図、図８は枠部材取付構造の拡大平面図をそれぞれ示す。
【００３０】
まず、本実施の形態の構成について説明する。
本実施の形態に係る枠部材取付構造は、建物躯体15の開口部11の周囲を覆う枠部材10の取付構造であって、室内を分割するための間仕切りとして使用するものである。具体的には、前記開口部11は、室内に略中央に位置して天井面から下方に向かって突出する下がり壁16と、室内の左右の壁面と、床面13とから形成されているものである。そして、枠部材10は、この開口部11の周囲を覆うように形成されているものである。そして、枠部材10は、室内内部を三つに分割するために隣接して二個、平行に配置されている。そして、二個の枠部材10の間には、その内部に物を収納可能な収納部72を形成している。
【００３１】
そして、この枠部材10は、室内の左右の壁面であって、開口部11の立設する壁面を覆う縦部材60と、開口部11の上部であって、天井から突出する下がり壁16の下端面を覆う横部材61と、この横部材61及び縦部材60からなる枠の内部を覆う平板状の面部材70と、収納部72を縦方向に仕切る板状の方立73とを備えている。前記縦部材60は、開口部11の立設する壁面に固定される壁面受け材20と、この壁面受け材20にはめ込まれる壁面枠材30とを備えている。
【００３２】
前記壁面受け材20は、全体形状が開口部11の高さと略一致するとともに長尺状の板状であって、固定ねじ21により開口部11の左右の建物躯体15の壁面に固定されているものである。なお、固定ねじ21の先端側には開口部11の建物躯体15に確実に固定するために固定ねじ21の周囲を押圧するフィッシャープラグ22が取り付けてある。そして、壁面受け材20の長手方向に沿う両縁には、壁面枠材30に向かって突出する薄板状の突出片50が形成されている。
【００３３】
前記壁面枠材30は、壁面受け材20の長さよりも僅かに短く設定されるとともに長尺状の板状に形成されている。そして、この壁面枠材30は、その壁面受け材20側の両端部近傍に前記突出片50がスライド可能に差し込まれるスライド溝51を備えている。前記横部材61は、木質からなる複数の角柱状の木片の周囲に縦断面形状が略コ字状の塩化ビニル鋼板を覆うことにより形成されているものである。そして、この横部材61は、その端部に位置して縦部材60の上部を入れる溝部62と、その溝部62の前面側を覆う塩化ビニル鋼板からなる薄板状の薄板部63と、長手方向の途中に位置して前記方立73の上部を入れる複数の方立溝部64とを備えている。
【００３４】
そして、枠部材10は、開口部11に固定された壁面受け材20に対して壁面枠材30が進退可能な取付位置調整手段40を備えている。この取付位置調整手段40は、枠部材10の長手方向に複数個、形成されているものである。そして、取付位置調整手段40は、具体的には、その先端側の表面に螺旋状のねじ部42を有して壁面受け材20にねじ込まれるとともに基端側の操作部44により回転可能なねじ本体41と、全体形状が円筒状であって、ねじ本体41の基端側に回動可能にはめ込まれて壁面枠材30と噛み合う噛み合いリング43とを備えている。
【００３５】
前記面部材70は、図４に示すように、二つの枠部材10の向かって左側の手前側と、向かって右側の奥側とに二組の扉71を形成している。そして、これらの扉71の裏側の枠部材10には、平板状の背板76が床面13に固定した背板固定板77を介して固体されている。前記方立73は、その上端面に凹状に凹んだ方立凹溝75を備えている。そして、二つの枠部材10の間の上部であって、下がり壁16の下面には、前記方立凹溝75の内部に沿ってスライド可能であるとともにはめ込み可能な角柱状の方立調整材74が固定されている。
【００３６】
以下に本実施の形態の作用及び効果を組立手順に沿って説明する。
まず、二つの壁面枠材30を開口部11の立設する壁面側に固定する。次に、収納部72の上面に相当する位置であって、下がり壁16の下面に角柱状の方立調整材74を固定する。次に、方立73の上端面の方立凹溝75が、前記方立調整材74に入り込むように方立73を所定の位置に立設する。その際、方立凹溝75内部において、方立調整材74がスライド可能に設定されているため、方立73の高さを開口部11の床面13から下がり壁16の下面までの距離よりも短く設定することができ、組立作業を容易にすることができる。
【００３７】
次に、横部材61の溝部62内に壁面受け材20の上部が差し込まれるように開口部11の上部であって、下がり壁16の下面に沿って横部材61を配置する。その際、横部材61の方立溝部64内に方立73の上部が差し込まれるように横部材61を配置する。
次に、横部材61の溝部62内に壁面枠材30の上部を差し込むとともに、壁面受け材20に壁面枠材30をはめ込む。はめ込む際に、壁面受け材20に突出片50が形成され、壁面枠材30にスライド溝51が形成されているため、壁面受け材20に対して壁面枠材30を進退させると、突出片50がスライド溝51の内部に沿って進退する。すなわち、この突出片50とスライド溝51とが壁面枠材30を案内することができて、壁面枠材30を壁面受け材20に対してスムーズに進退させることができる。これにより、かかる壁面枠材30及び壁面受け材20の上部を横部材61の溝部62の内部に収納して固定することができる。その際、溝部62の前面側には、塩化ビニル鋼板からなる薄板部63が形成されているため、壁面受け材20及び壁面枠材30の上部と、横部材61との間の継ぎ目を薄板部63により隠すことができる。これにより、枠部材10の外観を良好なものにすることができる。
【００３８】
また、この薄板部63は、枠部材10の前面側を隠して外観を良好に維持した状態で、縦部材60の上部と開口部11との間に隙間を形成することができるため、縦部材60の長手方向の寸法の許容寸法の範囲を大きくとることができて、現場施工を容易にすることができる。
次に、取付位置調整手段40により、壁面枠材30を壁面受け材20に対して進退させて適当な位置に調整する。この取付位置調整手段40により、開口部11に固定された壁面受け材20に対して壁面枠材30を進退させて、枠部材10における壁面枠材30と、壁面受け材20との間の距離を調整することができる。これにより、建物躯体15の開口部11が寸法誤差や、使用材料の伸縮により、寸法形状が異なっても、取り付けることができ、枠部材10の内側の寸法を、開口部11の寸法に影響されることなく、設定することができる。
さらに、この取付位置調整手段40は、枠部材10の長手方向に複数個、形成されているため、建物躯体15の開口部11の取付位置の垂直角度や水平角度が、僅かにずれるような場合においても、枠部材10の長手方向に複数個、形成されている各取付位置調整手段40の調整量を変化させることにより、壁面受け材20からの壁面枠材30の進退量を各取付位置調整手段40毎に調整することができる。すなわち、取付位置調整手段40間の距離に比例させて、取付位置調整手段40の壁面枠材30の壁面受け材20からの進退量を変化させることにより、壁面枠材30の取付角度を調整することができる。これにより、壁面枠材30を壁面受け材20に対して斜めに傾斜させた状態で固定することができ、枠部材10の長手方向の縦方向の傾斜角度を垂直に調整することができる。
【００３９】
なお、ここで、取付位置調整手段40として特殊ねじを使用しているが、その作用について具体的に説明する。
先ず、建物躯体15の開口部11の壁面に固定された壁面受け材20と、この壁面受け材20にはめ込まれた壁面枠材30とからなる枠部材10に対して、ねじ本体41の基端側の操作部44を回転させると、ねじ本体41の先端側の表面のねじ部42により、ねじ本体41の先端が壁面受け材20及び建物躯体15に向かってねじ込まれる。そして、さらに、ねじ本体41をねじ込ませると、その基端側に回動可能にはめ込まれた噛み合いリング43も壁面枠材30の内部に向かって押し込まれ壁面枠材30と噛み合う。
すなわち、ねじ本体41の先端のねじ部42は、壁面受け材20と建物躯体15の内部にねじ込まれ、噛み合いリング43は、壁面枠材30と噛み合った状態となる。そのような状態において、ねじ本体41を引き抜く方向に操作部44を逆回転させると、ねじ本体41は、その先端の螺旋状のねじ部42により形成された螺旋状の溝に沿って、壁面受け材20及び建物躯体15から引き抜かれる方向に後進する。その際、壁面受け材20は、建物躯体15の開口部11の壁面に固定されているため、壁面受け材20が建物躯体15から外れることはなく、密着した状態のままである。そして、ねじ本体41が後進すると、ねじ本体41の基端側の噛み合いリング43は、壁面枠材30と回動可能に噛み合っているため、壁面枠材30は、ねじ本体41の移動に伴って壁面受け材20から離れる方向に移動する。これにより、壁面枠材30を壁面受け材20から離す方向に移動させることができる。
【００４０】
一方、再度、ねじ本体41を建物躯体15にねじ込ませる方向、すなわち、前進する方向に回転させると、ねじ本体41の先端のねじ部42が螺旋状に形成されているため、ねじ本体41は、建物躯体15及び壁面受け材20に向かって入り込んでいく。そして、ねじ本体41の移動に伴い、ねじ本体41の基端側の噛み合いリング43と噛み合う壁面枠材30も、壁面受け材20及び建物躯体15側に向かって移動する。これにより壁面枠材30を壁面受け材20に向かって接近させる方向に移動させることができる。
【００４１】
上述したように、ねじ本体41を回転させる方向を変えることにより、壁面枠材30を壁面受け材20から離したり、接近させたりすることができる。また、ねじ本体41の回転量を変えることにより、両者の距離を変化させることができる。このように、簡単な操作で、壁面枠材30の取付位置の調整を容易にすることができる。
【００４２】
次に、横部材61を締結部材により開口部11の上面に固定する。
次に、扉71及び背板76からなる面部材70を、縦部材60及び横部材61からなる枠を覆うように固定する。その際、扉71は、二つの枠部材10のうち手前側の左半分と、奥側の枠部材10の右半分とに形成し、二つに分割した部屋のいずれの部屋からも収納部72を使用することができるように形成する。これにより、内部に収納部72を有するとともに間仕切りともなる枠部材10が完成し、その組立が終了する。
【００４３】
次に、第二の実施の形態について説明する。
図９は、本発明の第二の実施の形態であって、枠部材取付構造の拡大水平断面図を示すものである。
本実施の形態は、第一の実施の形態における突出片50及びスライド溝51を形成せずに、壁面枠材30の周囲に縦断面形状が略コ字状の塩化ビニル鋼板からなるコ字状鋼板81を形成している点に特徴を有するものである。このコ字状鋼板81が壁面枠材30の外側表面に沿って摺動することにより、壁面枠材30をスムーズに案内して進退させることができるものである。
その他の構成は、第一の実施の形態と略同様であって、同様の部品には、同一の部品番号を付与して説明を省略する。
【００４４】
次に、第三の実施の形態について説明する。
図１０は、本発明の第三の実施の形態であって、枠部材取付構造の拡大水平断面図を示すものである。本実施の形態は、突出片50を壁面枠材30の両端から壁面受け材20に向かって突出するように配置している点に特徴を有するものである。この突出片50が壁面受け材20の両端面に沿ってスライドすることにより、壁面枠材30をスムーズに案内して進退させることができるものである。
その他の構成は、第一の実施の形態と略同様であって、同様の部品には、同一の部品番号を付与して説明を省略する。
【００４５】
次に、第四の実施の形態について説明する。
図１１は、本発明の第四の実施の形態であって、枠部材取付構造の拡大水平断面図を示すものである。
本実施の形態は、壁面枠材30が、四角柱状の木質からなる木片82の周囲にその木片82よりもやや幅広の縦断面形状が略コ字状のコ字状鋼板81を形成している点に特徴を有しているものである。そして、このコ字状鋼板81の両端内側面と木片82の両側端面との間に隙間を形成し、この隙間を突出片50がスライド可能なスライド溝51として使用しているものである。
その他の構成は、第一の実施の形態と略同様であって、同様の部品には、同一の部品番号を付与して説明を省略する。
【００４６】
次に、第五の実施の形態について説明する。
図１２は、本発明の第五の実施の形態であって、枠部材取付構造の拡大水平断面図を示すものである。
本実施の形態は、壁面枠材30が、第一の実施の形態のようなスライド溝51を形成せずに、壁面受け材20から突出する突出片50間に、はまり込んでスライド可能に形成されている点に特徴を有しているものである。
その他の構成は、第一の実施の形態と略同様であって、同様の部品には、同一の部品番号を付与して説明を省略する。
【００４７】
次に、第六の実施の形態について説明する。
図１３は、本発明の第六の実施の形態であって、枠部材取付構造の拡大水平断面図を示すものである。
本実施の形態は、第五の実施の形態において、壁面受け材20の両端から突出していた二個の突出片50を扉71側のみ残し、一個にしたものである。すなわち、取付位置調整手段40と一個の突出片50があれば、壁面枠材30のスライドは可能であるため、部材数の低減を図ったものである。
その他の構成は、第一の実施の形態と略同様であって、同様の部品には、同一の部品番号を付与して説明を省略する。
【００４８】
【発明の効果】
本発明は、以上のように構成されているので、以下に記載されるような効果を奏する。
請求項１記載の発明によれば、枠部材の取付位置を調整することができて、建物躯体の開口部の寸法誤差や、使用材料の伸縮にも対応することができる枠部材取付構造を提供することができる。
【００４９】
また、この請求項１記載の発明によれば、開口枠の垂直角度や、水平角度が僅かにずれるような場合に、開口枠の取付角度を調整することができて、開口部の取付位置における取付角度の変動にも対応することができる枠部材取付構造を提供することができる。さらに、この請求項１記載の発明によれば、簡単な構造で、壁面受け材と壁面枠材との取付位置の調整を容易にすることができる枠部材取付構造を提供することができる。
【００５０】
また、この請求項１記載の発明によれば、壁面枠材が壁面受け材に対してスムーズに移動することができる枠部材取付構造を提供することができる。
請求項２記載の発明によれば、縦部材の上端と建物躯体との間の隙間を前面側から隠すことができて、外観が良好な枠部材取付構造を提供することができる。
請求項３記載の発明によれば、室内内部を分割することができて、間仕切りとして使用することができる枠部材取付構造を提供することができる。
【００５１】
請求項４記載の発明によれば、間仕切りとして使用することができる上に、内部に物を収納することができる枠部材取付構造を提供することができる。
請求項５記載の発明によれば、現場施工において、枠部材の取付位置を調整することができて、建物躯体の開口部の寸法誤差や、使用材料の伸縮にも対応することができ、開口枠の取付角度を調整することができて、取付位置の開口部の傾斜にも対応することができ、外観が良好な枠部材の組立方法を提供することができる。
【図面の簡単な説明】
【図１】  本発明の第一の実施の形態であって、枠部材取付構造を示す拡大斜視図である。
【図２】  本発明の第一の実施の形態であって、枠部材取付構造を示す拡大水平断面図である。
【図３】  本発明の第一の実施の形態であって、枠部材取付構造を示す外観正面図である。
【図４】  本発明の第一の実施の形態であって、枠部材取付構造を示す平面図である。
【図５】  本発明の第一の実施の形態であって、図２のＡＡ線における枠部材取付構造を示す縦断面図である。
【図６】  本発明の第一の実施の形態であって、図２のＢＢ線における枠部材取付構造を示す縦断面図である。
【図７】  本発明の第一の実施の形態であって、枠部材取付構造を示す拡大正面図である。
【図８】  本発明の第一の実施の形態であって、枠部材取付構造を示す拡大平面図である。
【図９】  本発明の第二の実施の形態であって、枠部材取付構造を示す拡大水平断面図である。
【図１０】  本発明の第三の実施の形態であって、枠部材取付構造を示す拡大水平断面図である。
【図１１】  本発明の第四の実施の形態であって、枠部材取付構造を示す拡大水平断面図である。
【図１２】  本発明の第五の実施の形態であって、枠部材取付構造を示す拡大水平断面図である。
【図１３】  本発明の第六の実施の形態であって、枠部材取付構造を示す拡大水平断面図である。
【符号の説明】
10…枠部材、11…開口部、13…床面、15…建物躯体、16…下がり壁、20…壁面受け材、21…固定ねじ、30…壁面枠材、40…取付位置調整手段、41…ねじ本体、42…ねじ部、43…噛み合いリング、44…操作部、50…突出片、51…スライド溝、60…縦部材、61…横部材、62…溝部、63…薄板部、64…方立溝部、70…面部材、71…扉、72…収納部、73…方立、74…方立調整材、75…方立凹溝、76…背板、77…背板固定板、81…コ字状鋼板、82…木片。
【図１】
0003901799.tif 000002
【図２】
0003901799.tif 000003
【図３】
0003901799.tif 000004
【図４】
0003901799.tif 000005
【図５】
0003901799.tif 000006
【図６】
0003901799.tif 000007
【図７】
0003901799.tif 000008
【図８】
0003901799.tif 000009
【図９】
0003901799.tif 000010
【図１０】
0003901799.tif 000011
【図１１】
0003901799.tif 000012
【図１２】
0003901799.tif 000013
【図１３】
0003901799.tif 000014